(57)【要約】【課題】  風力を利用して省電力化を図り、容易に電力供給できる屋外用表示装置を提供する。【解決手段】  風力を受けて回転する回転部３の回転により発電する風力発電部２と、風力発電部２から供給される電力により点灯する表示素子９を有した表示部８とを備えた屋外用表示装置１において、回転部３の回転力を表示部８に伝えて表示部８を移動させるとともに、表示部８の移動に同期して表示素子９を点滅し、表示素子９の残像による画像を表示した。【選択図】        図１
2007121431.tif 000002
【特許請求の範囲】
【請求項１】
風力を受けて回転する回転部の回転により発電する風力発電部と、前記風力発電部から供給される電力により点灯する表示素子を有した表示部とを備えた屋外用表示装置において、前記回転部の回転力を前記表示部に伝えて前記表示部を移動させるとともに、前記表示部の移動に同期して前記表示素子を点滅させることを特徴とする屋外用表示装置。
【請求項２】
前記表示部は回転運動、揺動運動または往復直線運動することを特徴とする請求項１に記載の屋外用表示装置。
【請求項３】
前記表示部を前記回転部と一体に設け、前記表示素子が前記回転部とともに回転運動することを特徴とする請求項１に記載の屋外用表示装置。
【請求項４】
前記風力発電部の電力を充電するバッテリを備えたことを特徴とする請求項１〜請求項３のいずれかに記載の屋外用表示装置。
【発明の詳細な説明】
【技術分野】
【０００１】
本発明は、屋外の広告等に用いられる屋外用表示装置に関する。
【背景技術】
【０００２】
屋外の広告等に用いられる従来の屋外用表示装置は特許文献１に開示されている。この屋外用表示装置はＬＥＤ等の表示素子を設けた移動体を移動する。表示素子は移動体に同期して点滅し、残像による画像表示が可能となる。特許文献１、２には軸方向に並ぶ表示素子を回転移動させる表示装置が開示されている。また、特許文献３には径方向に並ぶ表示素子を揺動させる表示装置が開示されている。これにより、表示素子の点数を削減して省電力化を図ることができる。
【特許文献１】特開平０２−６１６９３号公報（第１頁−第３頁、第８図）
【特許文献２】特開平０８−１７９７１１号公報（第２頁−第４頁、第１図）
【特許文献３】特開２００１−２４２８１３号公報（第２頁−第３頁、第１図）
【非特許文献１】神鋼電機株式会社、”小型風力発電装置  そよ風くん”、[online]、神鋼電機株式会社、[平成１７年９月２６日検索]、インターネット＜ＵＲＬ：http://www.shinko-elec.co.jp/windpower/product/index.html＞
【発明の開示】
【発明が解決しようとする課題】
【０００３】
上記の屋外用表示装置は屋外で使用するため電力供給が困難である。このため、上記非特許文献１に開示されるような小型風力発電装置により低コストで電力供給することができる。しかしながら、移動体の移動に大きな電力を必要とするため上記小型風力発電装置では充分電力を供給できない問題があった。
【０００４】
本発明は、省電力化を図り、容易に電力供給できる屋外用表示装置を提供することを目的とする。
【課題を解決するための手段】
【０００５】
上記目的を達成するために本発明は、風力を受けて回転する回転部の回転により発電する風力発電部と、前記風力発電部から供給される電力により点灯する表示素子を有した表示部とを備えた屋外用表示装置において、前記回転部の回転力を前記表示部に伝えて前記表示部を移動させるとともに、前記表示部の移動に同期して前記表示素子を点滅させることを特徴としている。
【０００６】
この構成によると、風力により回転部が回転すると回転力を伝達して表示部が例えば回転する。回転部の回転によって風力発電部で発電された電力は表示部の表示素子に供給される。表示素子は表示部の移動に同期して点滅し、残像により文字や絵等の画像が表示される。表示部は回転部と一体に回転してもよく、回転部の回転を伝達機構により表示部に伝達して表示部を回転や揺動等してもよい。
【０００７】
また本発明は、上記の屋外用表示装置において、前記表示部は回転運動、揺動運動または往復直線運動することを特徴としている。
【０００８】
また本発明は、上記の屋外用表示装置において、前記表示部を前記回転部と一体に設け、前記表示素子が前記回転部とともに回転運動することを特徴としている。この構成よると、回転部により表示部が構成され、回転部に設けられた表示素子が風力により回転する。
【０００９】
また本発明は、上記の屋外用表示装置において、前記風力発電部の電力を充電するバッテリを備えたことを特徴としている。この構成によると、風力が弱く回転部が低速回転して発電できない場合にバッテリに蓄えられた電力で表示素子が点灯する。
【発明の効果】
【００１０】
本発明によると、回転部の回転力を伝えて表示部を移動し、表示部の移動に同期して表示素子を点滅させるので、残像により広告等の画像を表示することができる。また、表示部の移動に対して電力が不要となり省電力化を図ることができる。従って、風力発電部の発電電力で屋外用表示装置の電力を確保して、利便性の高い屋外用表示装置を得ることができる。
【００１１】
また本発明によると、表示部を回転運動、揺動運動または往復直線運動させるので、簡単な機構で回転部の回転を変換して表示部を移動させることができる。
【００１２】
また本発明によると、表示部を回転部と一体に設けたので、回転の伝達機構が不要となり、屋外用表示装置の省スペース化を図ることができる。
【００１３】
また本発明によると、風力発電部の電力を充電するバッテリを備えたので、回転部が低速回転して発電できない場合であっても広告等を表示することができる。従って、屋外用表示装置の利便性が向上する。
【発明を実施するための最良の形態】
【００１４】
以下に本発明の実施形態を図面を参照して説明する。図１は第１実施形態の屋外用表示装置を示す外観図である。屋外用表示装置１は屋外に設置された支柱１５に風力により発電する風力発電部２（図３参照）及び広告等を表示する表示部８が取り付けられている。風力発電部２は回転部３及び発電機４を有している。
【００１５】
回転部３は鉛直に延びた回転軸３ａに連結された複数の羽根３ｂを有し、羽根３ｂが風を受けて回転する。発電機４は回転部３の回転によって発電する。羽根３ｂは水平断面が流線形の翼状に形成されている。羽根３ｂの軸方向の長さは２ｍであり、回転半径は２ｍである。これにより、毎秒４ｍの風が吹くと４８ｋｗｈの月間発電量を得ることができる。尚、羽根３ｂの形状を瞬間風速計のようなドーム状にしてもよく、回転軸３ａを水平に配置して羽根３ｂをプロペラ状にしてもよい。
【００１６】
回転部３には回転伝達機構１０が連結されている。回転伝達機構１０は支柱１５に取り付けられ、回転部３に連結されるギヤ１０ａの支軸１０ｂを支持する。支軸１０ｂは伝達ギヤ（不図示）を介して表示部８の支軸８ａに連結されている。これにより、表示部８が回動可能に支持されている。
【００１７】
図２は表示部８の斜視図を示している。支軸８ａには水平に延びたアーム８ｂが上下に設けられ、アーム８ｂの先端には表示パネル１６が取り付けられる。表示パネル１６にはＬＥＤ等から成る複数の表示素子９が軸方向に並んで配されている。
【００１８】
図３は屋外用表示装置１の構成を示すブロック図である。屋外用表示装置１は回転速度検知部６及び制御回路７を有している。回転速度検知部６は近接スイッチ等から成り、風力によって変化する回転部３の回転速度を検知する。制御回路７は回転速度検知部６の検知結果に基づいて所定のタイミングで表示素子９を点滅させる。
【００１９】
回転速度検知部６、制御回路７及び表示素子９は発電機４から電力が供給される。また、発電機４にはバッテリ５が接続され、電力を蓄えることができる。発電機４が発電できない場合には、バッテリ５から回転速度検知部６、制御回路７及び表示素子９に電力が供給される。
【００２０】
上記構成の屋外用表示装置１において、羽根３ｂが風を受けて回転部３が回転すると、回転伝達機構１０を介して表示部８が矢印Ａ（図２参照）に示すように回転する。この時、表示部８の回転に同期して回転位置に応じて所定の表示素子９が制御回路７の制御により点滅する。図４は表示素子９が点滅した残像を周方向に展開して示している。同図に示すように、表示素子９の回転によって残像による文字（図４の例では「ＡＢＣ」）や絵等の画像による広告等を表示することができる。
【００２１】
表示素子９は軸方向に約５００ｍｍの範囲に約２００Ｗの消費電力になるように配列されている。上記したように、風力発電部２の月間発電量は毎秒４ｍの風が吹いた場合に４８ｋｗｈであるため、表示素子９を１日当たり約８時間点灯することができる。従って、風力発電部２の発電量で夜間に広告表示する屋外用表示装置１の電力を賄うことができる。表示素子９は全て点灯状態にはならないため、平均的な点灯数の時の消費電力を約２００Ｗにすればよい。尚、回転速度検知部６及び制御回路７の消費電力は表示素子９に比して小さいので無視している。
【００２２】
本実施形態によると、表示部８の移動に同期して表示素子９を点滅させるので、残像により広告等の画像を表示することができる。また、表示部８は回転部３の回転力を伝えて回転するため、表示部８の回転に対して電力が不要となり省電力化を図ることができる。従って、風力発電部２の発電電力で屋外用表示装置１の電力を確保して、利便性の高い屋外用表示装置１を得ることができる。
【００２３】
次に、図５は第２実施形態の屋外用表示装置１を示す上面図である。説明の便宜上、前述の図１、図２に示す第１実施形態と同様の部分には同一の符号を付している。回転伝達機構１０（図１参照）は一端を回転自在に回転部３に連結し、他端を回転自在に表示部８に連結される連結部１１を有している。表示部８の先端には複数の表示素子９（図２参照）を軸方向に並設した表示パネル１６が設けられている。
【００２４】
回転部３が回転すると、連結部１１を介して矢印Ｂに示すように表示部８が揺動する。表示部３の揺動に同期して表示素子９を点滅することにより、残像による文字や絵等の画像による広告等を表示することができる。従って、第１実施形態と同様に、表示部８は回転部３の回転を伝えて揺動するため、表示部８の回転に対して電力が不要となり省電力化を図ることができる。
【００２５】
次に、図６は第３実施形態の屋外用表示装置を示す側面図である。説明の便宜上、前述の図１、図２に示す第１実施形態と同様の部分には同一の符号を付している。本実施形態は回転部３の回転軸３ａが水平に配置されている。回転伝達機構１０は（図１参照）は一端を回転自在に回転部３に連結し、他端を回転自在に表示部８に連結される連結部１１を有している。
【００２６】
表示部８の上下には表示部８を案内するガイド１２、１３が配置される。表示部８には鉛直に並ぶ複数の表示素子９が設けられ、上部及び下部にガイド１２、１３と摺動するローラー１４が設けられている。
【００２７】
回転部３が回転すると、連結部１１を介して矢印Ｃに示すようにクランク運動によって表示部８が往復直線運動する。表示部８の移動に同期して表示素子９を点滅することにより、残像による文字や絵等の画像による広告等を表示することができる。従って、第１実施形態と同様に、表示部８は回転部３の回転を伝えて往復直線運動するため、表示部８の回転に対して電力が不要となり省電力化を図ることができる。
【００２８】
尚、第１〜第３実施形態において、回転部３の羽根３ｂに表示素子９を設けて、回転部３と表示部８とを一体にしてもよい。これにより、回転伝達機構１０を省くことができ、省スペース化を図ることができる。
【００２９】
また、表示部８を回転運動、揺動運動または往復直線運動させているので、簡単な機構で回転部３の回転を伝達して表示部８を移動させることができる。カム機構等を設けて回転部３の回転をより複雑な運動に変換して表示部８を移動させてもよい。
【産業上の利用可能性】
【００３０】
本発明は、屋外の広告等に用いられる屋外用表示装置に利用することができる。
【図面の簡単な説明】
【００３１】
【図１】本発明の第１実施形態の屋外用表示装置を示す外観図
【図２】本発明の第１実施形態の屋外用表示装置の表示部を示す斜視図
【図３】本発明の第１実施形態の屋外用表示装置の構成を示すブロック図
【図４】本発明の第１実施形態の屋外用表示装置の表示素子による画像を示す図
【図５】本発明の第２実施形態の屋外用表示装置を示す上面図
【図６】本発明の第３実施形態の屋外用表示装置を示す側面図
【符号の説明】
【００３２】
１  屋外用表示装置
２    風力発電部
３    回転部
３ａ  回転軸
３ｂ  羽根
４    発電機
５    バッテリ
６    回転速度検知部
７    制御回路
８    表示部
８ａ  支軸
９    表示素子
１０    回転伝達機構
１１    連結部
１２、１３  ガイド
１５    支柱
１６    表示パネル
【図１】
2007121431.tif 000003
【図２】
2007121431.tif 000004
【図３】
2007121431.tif 000005
【図４】
2007121431.tif 000006
【図５】
2007121431.tif 000007
【図６】
2007121431.tif 000008